(57)【要約】【課題】使用者が誤って無線タグラベルを別の物品に貼り付けるのを防止することができるシール付きタグラベル作成装置を提供する。【解決手段】第１カートリッジホルダ３１４にタグカートリッジ３１３が装着されるとともに、第２カートリッジホルダ３２４に補助カートリッジ３２３が装着される。そして、タグカートリッジ３１３から供給されたタグラベル用テープ３１１は、第１印字ヘッド３１７によって所望の印字が行われ、無線タグ回路素子Ｔｏには装置アンテナ３０１によって無線通信が行われて所望の情報送受信が行われ、印字付きの無線タグラベルＴが生成される。一方、補助カートリッジ３２３から供給された補助シール用テープ３２１は、第２印字ヘッド３２７によって印字が行われ、補助シールＳが生成される。これら無線タグラベルＴと補助シールＳとが、再剥離可能に互いに貼り合わされた状態でシール付きタグラベルＳＴとして生成される。【選択図】図３
2010191919.tif 000002
【特許請求の範囲】
【請求項１】
情報を記憶するＩＣ回路部と情報の送受信を行うタグアンテナとを備えた無線タグ回路素子と無線通信を行うための通信手段と、
複数の前記無線タグ回路素子が配置されたタグラベル用テープを連続的に供給可能に収納したタグカートリッジを着脱可能な、第１カートリッジホルダと、
前記タグカートリッジから供給される前記タグラベル用テープを搬送する第１搬送手段と、
前記第１搬送手段により搬送される前記タグラベル用テープに対し所望の印字を行う第１印字手段と、
前記タグカートリッジより供給された前記タグラベル用テープに貼り合わせる補助シール用テープを連続的に供給可能に収納した補助カートリッジを着脱可能な、第２カートリッジホルダと、
前記補助カートリッジから繰り出される前記補助シール用テープを搬送する第２搬送手段と、
前記補助カートリッジから供給される前記補助シール用テープに対し、前記通信手段による前記無線タグ回路素子との情報送受信内容に対応した補足情報の印字を行う第２印字手段と、
前記第１印字手段により前記タグラベル用テープに前記所望の印字がなされ、前記通信手段により前記無線タグ回路素子に情報送受信が行われた無線タグラベルと、前記無線タグラベルに対応して前記第２印字手段により前記補助シール用テープに前記補足情報の印字がなされた補助シールとを、再剥離可能に貼り合わされた状態で生成するように、前記第１搬送手段、前記第１印字手段、前記第２搬送手段、及び前記第２印字手段を連携して制御する連携制御手段と
を有することを特徴とするシール付きタグラベル作成装置。
【請求項２】
前記補足情報と前記情報送受信内容とを関連付けて記憶するデータベースより、前記補足情報を取得する補足情報取得手段を有し、
前記第２印字手段は、前記補助シール用テープに対し、前記補足情報取得手段で取得した前記補足情報の印字を行う
ことを特徴とする請求項１記載のシール付きタグラベル作成装置。
【請求項３】
前記タグカートリッジから供給された前記タグラベル用テープの前記第１印字手段による印字面側に対し、前記補助カートリッジから供給された前記補助シール用テープを貼り合わせる貼り合わせ手段を有する
ことを特徴とする請求項１又は請求項２記載のシール付きタグラベル作成装置。
【請求項４】
前記第１搬送手段による前記タグラベル用テープの搬送経路において前記貼り合わせ手段より搬送方向上流側に設けられ、前記タグラベル用テープを切断する第１切断手段と、
前記第２搬送手段による前記補助シール用テープの搬送経路において前記貼り合わせ手段より搬送方向上流側に設けられ、前記補助シール用テープを切断する第２切断手段と
を有することを特徴とする請求項３記載のシール付きタグラベル作成装置。
【請求項５】
前記連携制御手段は、
前記補助シールのテープ長手方向の長さが、前記無線タグラベルのテープ長手方向長さよりも長くなるように、前記第１搬送手段、前記第２搬送手段、前記第１切断手段、及び前記第２切断手段を連携して制御する
ことを特徴とする請求項４記載のシール付きタグラベル作成装置。
【請求項６】
前記第１搬送手段による前記タグラベル用テープの搬送経路と前記第２搬送手段による前記補助シール用テープの搬送経路とが合流した、前記貼り合わせ手段より搬送方向下流側に設けられ、貼り合わされた前記タグラベル用テープ及び前記補助シール用テープを切断する第３切断手段を有する
ことを特徴とする請求項３記載のシール付きタグラベル作成装置。
【請求項７】
前記第１カートリッジホルダに装着される前記タグカートリッジの前記タグラベル用テープのテープ幅を、前記第２カートリッジホルダに装着される前記補助カートリッジの前記補助シール用テープのテープ幅よりも大きくした
ことを特徴とする請求項６記載のシール付きタグラベル作成装置。
【請求項８】
前記第２搬送手段による前記補助シール用テープの搬送経路において前記貼り合わせ手段より搬送方向上流側に設けられ、前記補助シール用テープの貼り合わせ側の面に貼り合わせ用の粘着剤を塗布する粘着剤塗布手段を有する
ことを特徴とする請求項３乃至請求項７のいずれか１項記載のシール付きタグラベル作成装置。
【請求項９】
情報を記憶するＩＣ回路部と情報の送受信を行うタグアンテナとを備えた無線タグ回路素子と無線通信を行うための通信手段と、複数の前記無線タグ回路素子が配置されたタグラベル用テープに対し所望の印字を行って無線タグラベルを生成する第１印字手段と、前記タグラベル用テープに貼り合わせるための補助シール用テープに対し、前記通信手段による前記無線タグ回路素子との情報送受信内容に対応した補足情報の印字を行い、補助シールを生成する第２印字手段とを有するシール付きタグラベル作成装置において、前記無線タグラベルと前記補助シールとが再剥離可能に貼り合わされた状態で生成されるように、前記通信手段、前記第１印字手段、前記第２印字手段を制御するための処理制御手段に対して、
前記無線タグラベルを設置する物品に関する物品情報を格納したデータベースにアクセスし、前記物品情報を構成する複数項目のうち、前記第１印字手段により前記無線タグラベルに印刷するラベル印刷項目と、前記通信手段により前記無線タグ回路素子に書き込む書き込み項目とを、選択可能に表示手段に表示し、操作者の選択入力を促す第１手順と、
前記データベースにアクセスし、前記物品情報を構成する前記複数項目のうち、前記第２印字手段により前記補足情報として前記補助シールに印刷するシール印刷項目を、選択可能に前記表示手段に表示し、操作者の選択入力を促す第２手順と、
前記第１手順及び前記第２手順での操作者の選択入力結果に応じた印字データを前記第１印字手段及び前記第２印字手段に出力し、対応する印字を実行させる第３手順と
を、実行させるためのラベル作成処理プログラム。
【発明の詳細な説明】
【技術分野】
【０００１】
本発明は、情報を記憶するＩＣ回路部と情報の送受信を行うタグアンテナとを備えた無線タグ回路素子を有する無線タグラベルを、シールと貼り合わせた状態で生成するシール付きタグラベル作成装置及びラベル作成処理プログラムに関する。
【背景技術】
【０００２】
近年、情報を記憶する無線タグと無線タグ通信装置との間で非接触で情報の送受信を行うＲＦＩＤ（Ｒａｄｉｏ  Ｆｒｅｑｕｅｎｃｙ  Ｉｄｅｎｔｉｆｉｃａｔｉｏｎ）システムが様々な分野において実用化されている。無線タグの一例である無線タグラベルに備えられた無線タグ回路素子は、情報を記憶するＩＣ回路部と情報の送受信を行うタグアンテナとを備えており、無線タグラベルが汚れている場合や見えない位置に配置されている場合であっても、無線タグ通信装置よりアクセスが可能である。
【０００３】
無線タグラベルは、通常、ラベル状の素材上に無線タグ回路素子を設けて形成され、管理対象である物品等に貼り付けられる。またこのとき、内部に記憶された情報に関連した情報をラベルに印字しておけば、使用者はその情報をラベル上で視認できるので何かと便利である。このため、従来、そのような観点からのタグラベル作成装置が提唱されている（例えば、特許文献１参照）。
【０００４】
この従来技術のタグラベル作成装置（記録装置）では、無線タグ回路素子（ＲＦ−ＩＤ素子）を備えたラベルをテープ状の台紙（ラベル紙）に貼り付けたものをロール状（記録媒体）とし、このロールから台紙を繰り出して搬送しつつラベルの表面に印字を行った後、搬送状態において装置側アンテナ（通信アンテナ）から無線タグ回路素子へ情報を送信して所定の情報書き込みを行い、これにより印字済みの無線タグラベルを連続的に生成する。
【先行技術文献】
【特許文献】
【０００５】
【特許文献１】特開２００４−８２４３２号公報
【発明の概要】
【発明が解決しようとする課題】
【０００６】
一般に、物品管理等に用いられる無線タグラベルでは、ラベル上に印字される内容は、貼り付け対象である物品の名称やその物品の管理者名等であることが多い。このため、例えば倉庫や書庫等において同名称の物品や同一人物が管理する物品が多数並べられているような状況では、使用者が無線タグラベルを対応する物品に貼り付ける際に、ラベル上の印字を視認するだけでは明確に貼り付け対象を認識することができず、誤って別の物品に貼り付けてしまうおそれがあった。
【０００７】
本発明の目的は、使用者が誤って無線タグラベルを別の物品に貼り付けるのを防止することができるシール付きタグラベル作成装置及びラベル作成処理プログラムを提供することにある。
【課題を解決するための手段】
【０００８】
上記目的を達成するために、第１発明のシール付きタグラベル作成装置は、情報を記憶するＩＣ回路部と情報の送受信を行うタグアンテナとを備えた無線タグ回路素子と無線通信を行うための通信手段と、複数の前記無線タグ回路素子が配置されたタグラベル用テープを連続的に供給可能に収納したタグカートリッジを着脱可能な、第１カートリッジホルダと、前記タグカートリッジから供給される前記タグラベル用テープを搬送する第１搬送手段と、前記第１搬送手段により搬送される前記タグラベル用テープに対し所望の印字を行う第１印字手段と、前記タグカートリッジより供給された前記タグラベル用テープに貼り合わせる補助シール用テープを連続的に供給可能に収納した補助カートリッジを着脱可能な、第２カートリッジホルダと、前記補助カートリッジから繰り出される前記補助シール用テープを搬送する第２搬送手段と、前記補助カートリッジから供給される前記補助シール用テープに対し、前記通信手段による前記無線タグ回路素子との情報送受信内容に対応した補足情報の印字を行う第２印字手段と、前記第１印字手段により前記タグラベル用テープに前記所望の印字がなされ、前記通信手段により前記無線タグ回路素子に情報送受信が行われた無線タグラベルと、前記無線タグラベルに対応して前記第２印字手段により前記補助シール用テープに前記補足情報の印字がなされた補助シールとを、再剥離可能に貼り合わされた状態で生成するように、前記第１搬送手段、前記第１印字手段、前記第２搬送手段、及び前記第２印字手段を連携して制御する連携制御手段とを有することを特徴とする。
【０００９】
本願第１発明においては、無線タグラベルの作成時には、第１カートリッジホルダにタグカートリッジが装着されるとともに、第２カートリッジホルダに補助カートリッジが装着される。そして、タグカートリッジから供給されたタグラベル用テープは、第１搬送手段で搬送され、第１印字手段によって所望の印字が行われる。また、タグラベル用テープに備えられた無線タグ回路素子には、通信手段によって無線通信が行われ、所望の情報送受信が行われ、これによって（印字付きの）無線タグラベルが生成される。一方、補助カートリッジから供給された補助シール用テープは第２搬送手段で搬送され、第２印字手段によって印字が行われ、補助シールが生成される。このときの印字としては、上記した通信手段による無線タグ回路素子との情報送受信内容に対応した、補足情報の印字が行われる。このとき、連携制御手段の制御によって、無線タグラベルと補助シールとが、再剥離可能に互いに貼り合わされた状態で生成される。
【００１０】
以上のようにして、本願第１発明においては、無線タグラベル作成時に、無線タグラベルのみを単独で作成するのではなく、無線タグ回路素子との情報送受信内容（言い換えれば無線タグ回路素子の記憶内容）に対応する補足情報を印字した補助シールを、併せて作成する。そして、そのような補助シールを、対応する無線タグラベルと貼り合わせた状態で生成する。これにより、無線タグラベルに印字された情報だけでは貼り付け対象が不明の場合であっても、補助シールに印刷された補足情報を手がかりに使用者が貼り付け対象を認識した後、無線タグラベルから補助シールを剥離させて無線タグラベルのみを確実に貼り付け対象に貼り付けることができる。この結果、使用者が誤って無線タグラベルを別の物品に貼り付けるのを、確実に防止することができる。
【００１１】
第２発明のシール付きタグラベル作成装置は、上記第１発明において、前記補足情報と前記情報送受信内容とを関連付けて記憶するデータベースより、前記補足情報を取得する補足情報取得手段を有し、前記第２印字手段は、前記補助シール用テープに対し、前記補足情報取得手段で取得した前記補足情報の印字を行うことを特徴とする。
【００１２】
これにより、通信手段による無線タグ回路素子との情報送受信内容に確実に対応した補足情報の印字を行うことができる。その結果、互いに貼り合わす無線タグラベルと補助シールとを確実に対応付けることができる。
【００１３】
第３発明のシール付きタグラベル作成装置は、上記第１又は第２発明において、前記タグカートリッジから供給された前記タグラベル用テープの前記第１印字手段による印字面側に対し、前記補助カートリッジから供給された前記補助シール用テープを貼り合わせる貼り合わせ手段を有することを特徴とする。
【００１４】
これにより、第１搬送手段によるタグカートリッジからのタグラベル用テープの搬送経路と第２搬送手段による補助カートリッジからの補助シール用テープの搬送経路との合流点に貼り合わせ手段を設けることで、搬送の流れに沿って円滑にタグラベル用テープと補助シール用テープとの貼り合わせを行うことができる。また、貼り合わせ手段でタグラベル用テープの印字面側に補助シール用テープを貼り合わせることにより、補助シールを対応する無線タグラベルの印字面側（すなわち表面側）に貼り合わせた状態で生成することができる。これにより、これにより、無線タグラベルを使用する際に、使用者は確実に補助シールを視認することができる。
【００１５】
第４発明のシール付きタグラベル作成装置は、上記第３発明において、前記第１搬送手段による前記タグラベル用テープの搬送経路において前記貼り合わせ手段より搬送方向上流側に設けられ、前記タグラベル用テープを切断する第１切断手段と、前記第２搬送手段による前記補助シール用テープの搬送経路において前記貼り合わせ手段より搬送方向上流側に設けられ、前記補助シール用テープを切断する第２切断手段とを有することを特徴とする。
【００１６】
タグラベル用テープ及び補助シール用テープを第１切断手段及び第２切断手段で所定の長さに切断することで、無線タグラベル及び補助シールを作成することができる。このとき、タグラベル用テープ側の搬送経路の第１切断手段と、補助シール用テープ側の搬送経路の第２切断手段とを、別々に設置することにより、無線タグラベルと補助シールとで互いにテープ長手方向の長さを異ならせることが可能となる。
【００１７】
第５発明のシール付きタグラベル作成装置は、上記第４発明において、前記連携制御手段は、前記補助シールのテープ長手方向の長さが、前記無線タグラベルのテープ長手方向長さよりも長くなるように、前記第１搬送手段、前記第２搬送手段、前記第１切断手段、及び前記第２切断手段を連携して制御することを特徴とする。
【００１８】
補助シールの長さを無線タグラベルより長くすることにより、設置対象物への無線タグラベルの貼り付け時に補助シールを無線タグラベルから剥がす際に、補助シールを手でつまみやすくして容易に剥がせるようにすることができる。この結果、使用者の利便性を向上することができる。
【００１９】
第６発明のシール付きタグラベル作成装置は、上記第３発明において、前記第１搬送手段による前記タグラベル用テープの搬送経路と前記第２搬送手段による前記補助シール用テープの搬送経路とが合流した、前記貼り合わせ手段より搬送方向下流側に設けられ、貼り合わされた前記タグラベル用テープ及び前記補助シール用テープを切断する第３切断手段を有することを特徴とする。
【００２０】
タグラベル用テープ及び補助シール用テープを第３切断手段で所定の長さに切断することで、無線タグラベル及び補助シールを作成することができる。このとき、それぞれ別の搬送経路から搬送されたタグラベル用テープと補助シール用テープとが貼り合わせ手段で貼り合わせれた後に切断することにより、共通の１つの切断手段とすることができるので、部品点数を削減し装置構造を簡素化することができる。
【００２１】
第７発明のシール付きタグラベル作成装置は、上記第６発明において、前記第１カートリッジホルダに装着される前記タグカートリッジの前記タグラベル用テープのテープ幅を、前記第２カートリッジホルダに装着される前記補助カートリッジの前記補助シール用テープのテープ幅よりも大きくしたことを特徴とする。
【００２２】
これにより、作成される無線タグラベルの幅方向寸法を補助シールより広くすることができる。この結果、設置対象物への無線タグラベルの貼り付け時に、無線タグラベルを手でつまみやすくして補助シールから容易に剥がせるようにすることができる。したがって、使用者の利便性を向上することができる。
【００２３】
第８発明のシール付きタグラベル作成装置は、上記第３乃至第７発明のいずれかにおいて、前記第２搬送手段による前記補助シール用テープの搬送経路において前記貼り合わせ手段より搬送方向上流側に設けられ、前記補助シール用テープの貼り合わせ側の面に貼り合わせ用の粘着剤を塗布する粘着剤塗布手段を有することを特徴とする。
【００２４】
これにより、補助カートリッジから供給されて搬送される補助シール用テープが、貼り合わせ手段で貼り合わされる前に、当該貼り合わせの粘着力を与えるための粘着剤を塗布することができる。また貼り合わせ直前に粘着剤を塗布する構成とすることで、補助カートリッジ内に例えばロール形状で収納されている状態では、補助シール用テープに粘着力が存在しないようにすることができる。したがって、補助カートリッジ内での収納状態で粘着剤が備えられている場合に比べ、補助カートリッジから補助シール用テープを引き出すための搬送駆動力が小さくて済むという効果もある。さらに、粘着剤塗布手段による粘着剤の塗布タイミングを適宜制御することで、補助シール用テープの貼り合わせ側の全面ではなく一部領域に対し粘着剤を塗布することが可能である。これにより、補助シールを無線タグラベルから剥がす際に、補助シールの粘着剤が塗布されていない側を手でつまみやすくしてさらに容易に剥がせるようにすることができると共に、粘着剤の使用量を節減できる。
【００２５】
上記目的を達成するために、第９発明のラベル作成処理プログラムは、情報を記憶するＩＣ回路部と情報の送受信を行うタグアンテナとを備えた無線タグ回路素子と無線通信を行うための通信手段と、複数の前記無線タグ回路素子が配置されたタグラベル用テープに対し所望の印字を行って無線タグラベルを生成する第１印字手段と、前記タグラベル用テープに貼り合わせるための補助シール用テープに対し、前記通信手段による前記無線タグ回路素子との情報送受信内容に対応した補足情報の印字を行い、補助シールを生成する第２印字手段とを有するシール付きタグラベル作成装置において、前記無線タグラベルと前記補助シールとが再剥離可能に貼り合わされた状態で生成されるように、前記通信手段、前記第１印字手段、前記第２印字手段を制御するための処理制御手段に対して、前記無線タグラベルを設置する物品に関する物品情報を格納したデータベースにアクセスし、前記物品情報を構成する複数項目のうち、前記第１印字手段により前記無線タグラベルに印刷するラベル印刷項目と、前記通信手段により前記無線タグ回路素子に書き込む書き込み項目とを、選択可能に表示手段に表示し、操作者の選択入力を促す第１手順と、前記データベースにアクセスし、前記物品情報を構成する前記複数項目のうち、前記第２印字手段により前記補足情報として前記補助シールに印刷するシール印刷項目を、選択可能に前記表示手段に表示し、操作者の選択入力を促す第２手順と、前記第１手順及び前記第２手順での操作者の選択入力結果に応じた印字データを前記第１印字手段及び前記第２印字手段に出力し、対応する印字を実行させる第３手順とを、実行させる。
【００２６】
本願第９発明においては、予め、データベースに、当該無線タグラベルの設置対象となる物品の物品情報が格納されている。そして、無線タグラベルを作成するに際しては、第１手順で、データベースへのアクセスに基づき、無線タグラベルへのラベル印刷項目と無線タグ回路素子への書き込み項目とが表示手段に表示される。また、第２手順で、データベースへのアクセスに基づき、補助シールへのシール印刷項目（＝補足情報に対応）が、表示手段に表示される。そして、操作者がそれら表示手段における表示に従って各項目を選択すると、第３手順で、その選択入力結果に応じた印字データが、第１印字手段及び第２印字手段へ出力される。これにより、無線タグラベル作成時に、無線タグ回路素子との情報送受信内容に対応する補足情報を印字した補助シールを、対応する無線タグラベルと貼り合わせた状態で生成することができる。
【００２７】
この結果、無線タグラベルに印字された情報だけでは貼り付け対象が不明の場合であっても、補助シールに印刷された補足情報を手がかりにすることで、使用者が誤って無線タグラベルを別の物品に貼り付けるのを、確実に防止することができる。
【発明の効果】
【００２８】
本発明によれば、使用者が誤って無線タグラベルを別の物品に貼り付けるのを防止することができる。
【図面の簡単な説明】
【００２９】
【図１】本実施形態のシール付きタグラベル作成装置を有するタグラベル作成システムの全体構成を表すシステム構成図である。
【図２】タグラベル作成システムのシステム全体の機能構成を概念的に表す機能ブロック図である。
【図３】シール付きタグラベル作成装置の機能構成を表す機能ブロック図である。
【図４】高周波回路の詳細構成を表す機能ブロック図である。
【図５】タグラベル用テープに備えられる無線タグ回路素子の機能的構成の一例を表す機能ブロック図である。
【図６】記憶部に登録されたデータベースの一例を表す図である。
【図７】シール付きタグラベルの作成時に操作端末の表示部に表示されるラベル作成画面の一例を表す図である。
【図８】第１印字領域設定部、第２印字領域設定部、第３印字領域設定部、及び無線タグ情報設定部におけるプルダウンメニュー項目を表す図である。
【図９】シール付きタグラベル作成装置で作成されたシール付きタグラベルの外観の一例を表す平面図、その側面図、及び無線タグラベルから補助シールを剥離させる様子を表す平面図である。
【図１０】シール付きタグラベルの作成時に、操作端末の制御回路によって実行される制御内容を表すフローチャートである。
【図１１】シール付きタグラベルの作成時に、シール付きタグラベル作成装置の制御回路によって実行される制御内容を表すフローチャートである。
【図１２】ステップＳ２００のシール付きタグラベル作成処理の詳細内容を表すフローチャートである。
【図１３】ステップＳ３００のタグラベル作成処理の詳細内容を表すフローチャートである。
【図１４】単一のカッタで切断を行う変形例における、シール付きタグラベル作成装置の機能構成を表す機能ブロック図である。
【図１５】単一のカッタで切断を行う変形例における、シール付きタグラベル作成装置で作成されたシール付きタグラベルの外観の一例を表す平面図、その側面図、及び無線タグラベルから補助シールを剥離させる様子を表す平面図である。
【図１６】単一のカッタで切断を行う変形例における、ステップＳ２００Ａのシール付きタグラベル作成処理の詳細内容を表すフローチャートである。
【図１７】シール付きタグラベルの形態のバリエーションを表す平面図である。
【図１８】シール付きタグラベルの形態のバリエーションを表す平面図である。
【発明を実施するための形態】
【００３０】
以下、本発明の一実施の形態を図面を参照しつつ説明する。
【００３１】
図１は、本実施形態のシール付きタグラベル作成装置を有するタグラベル作成システム１の全体構成を表すシステム構成図である。
【００３２】
図１において、タグラベル作成システム１は、ＰＣ等の操作端末１００と、サーバ２００と、シール付きタグラベルＳＴを作成するシール付きタグラベル作成装置３００とを有している。上記操作端末１００、サーバ２００、及びシール付きタグラベル作成装置３００は、有線あるいは無線のネットワークＮＷ（例えばＬＡＮ、無線ＬＡＮ等）を介して情報入出力可能に接続されている。
【００３３】
操作端末１００は、シール付きタグラベル作成装置３００でシール付きタグラベルＳＴを作成する際の各種設定及び作成指令等を行うための端末であり、液晶ディスプレイ等の表示部１０１及びマウスやキーボード等で構成される操作部１０２を備えている。詳細は後述するが、この操作端末１００には、シール付きタグラベルＳＴを作成する際の各種設定を行うためのアプリケーションがインストールされており、表示部１０１にそのアプリケーションによるラベル作成画面を表示し、操作者に各種設定入力を促すようになっている（後述の図７参照）。
【００３４】
シール付きタグラベルＳＴは、情報を記憶するＩＣ回路部１５０と情報の送受信を行うタグアンテナ１５１とを備えた無線タグ回路素子Ｔｏ（後述の図５等参照）を有する無線タグラベルＴと、この無線タグラベルＴに対応して作成される補助シールＳとが、再剥離可能に貼り合わされたものである。シール付きタグラベル作成装置３００では、上記無線タグラベルＴと対応する補助シールＳとが同時に作成され、貼り合わされた状態でシール付きタグラベルＳＴとして生成される。補助シールＳの表面には、無線タグラベルＴの作成時に無線タグ回路素子Ｔｏに対する情報送受信内容に対応した補足情報が印字されている。この補足情報としては、例えば無線タグラベルＴの貼り付け対象である物品の保管場所等、当該物品を特定するための手がかりとなる内容である情報や、無線タグラベルＴの物品に対する貼り付け作業の期限や貼り付け時の注意事項等、貼り付け作業を補助する内容である情報等が一例として挙げられる。
【００３５】
図２は、タグラベル作成システム１のシステム全体の機能構成を概念的に表す機能ブロック図である。
【００３６】
図２において、操作端末１００は、各種操作画面や入力画面等の表示を行うための上記表示部１０１と、操作者が操作入力を行うための上記操作部１０２と、サーバ２００及びシール付きタグラベル作成装置３００との間でネットワークＮＷを介して行われるネットワーク通信の制御を行うネットワーク通信制御部１０３と、上記表示部１０１及びネットワーク通信制御部１０３を含む操作端末１００全体の動作を制御する制御回路１０４とを有する。
【００３７】
上記制御回路１０４は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラム（例えば後述の図９に示すラベル作成処理プログラム）に従って、信号処理を行う。
【００３８】
サーバ２００は、無線タグラベルＴを設置する物品に関する物品情報等が登録された複数のデータベースを格納する記憶部２０１と、操作端末１００等との間でネットワークＮＷを介して行われるネットワーク通信の制御を行うネットワーク通信制御部２０２と、上記記憶部２０１に対し情報を読み書き可能に接続され、サーバ２００全体の制御を行う制御回路２０３とを有する。
【００３９】
記憶部２０１は、例えばＨＤＤ（ハードディスクドライブ）や大容量メモリ等で構成されており、無線タグラベルＴの貼り付け対象となる物品の種別ごとにデータベース（後述の図６参照）が格納されている。各データベースには、対応する物品に関する物品情報（物品名、保管場所等。図６参照）が予め登録されている。そして、シール付きタグラベル作成装置３００において所定の物品に貼り付けるためのシール付きタグラベルＳＴが作成されると、当該シール付きタグラベルＳＴに対応するタグＩＤ（無線タグラベルＴに備えられる無線タグ回路素子ＴｏのタグＩＤ）が上記データベースの対応する物品情報に関連付けられて登録される。すなわち、データベースにおいては、シール付きタグラベルＳＴが作成されるまでは各物品のタグＩＤ欄は空白となっており、シール付きタグラベルＳＴが作成されて初めてタグＩＤ欄にタグＩＤが登録される。
【００４０】
図３は、シール付きタグラベル作成装置３００の機能構成を表す機能ブロック図である。なお、この図３においては信号線を破線にて図示している。
【００４１】
シール付きタグラベル作成装置３００は、上述したように無線タグラベルＴと対応する補助シールＳとを同時に作成し、貼り合わせた状態でシール付きタグラベルＳＴとして生成する機能を備えている。図３に示すように、このシール付きタグラベル作成装置３００は２つのカートリッジを着脱可能な構成となっている。すなわち、所定間隔で複数の無線タグ回路素子Ｔｏが配置されたタグラベル用テープ３１１を巻回したタグテープロール３１２（本来は渦巻状であるが簡略化して同心円で図示している）を収納し、タグラベル用テープ３１１を連続的に供給可能なタグカートリッジ３１３を着脱可能な第１カートリッジホルダ３１４（図中一点鎖線で示す）と、タグカートリッジ３１３より供給されたタグラベル用テープ３１１に貼り合わせる補助シール用テープ３２１を巻回した補助テープロール３２２（本来は渦巻状であるが簡略化して同心円で図示している）を収納し、補助シール用テープ３２１を連続的に供給可能な補助カートリッジ３２３を着脱可能な第２カートリッジホルダ３２４とを有している。
【００４２】
またシール付きタグラベル作成装置３００は、タグカートリッジ３１３から供給されるタグラベル用テープ３１１を搬送する第１搬送ローラ３１５（第１搬送手段）と、この搬送ローラ３１５により搬送されるタグラベル用テープ３１１に対しインクリボン３１６を用いて所望の印字を行う第１印字ヘッド３１７（第１印字手段）と、補助カートリッジ３２３から供給される補助シール用テープ３２１を搬送する第２搬送ローラ３２５（第２搬送手段）と、この搬送ローラ３２５により搬送される補助シール用テープ３２１に対し、装置アンテナ３０１（後述）によるタグラベル用テープ３１１の無線タグ回路素子Ｔｏとの情報送受信内容に対応した上記補足情報の印字をインクリボン３２６を用いて行う第２印字ヘッド３２７（第２印字手段）とを有している。
【００４３】
またシール付きタグラベル作成装置３００は、タグカートリッジ３１３から供給されたタグラベル用テープ３１１の第１印字ヘッド３１７による印字面側（図３中上側）に対し、補助カートリッジ３２３から供給された補助シール用テープ３２１を貼り合わせる貼り合わせローラ３０３（貼り合わせ手段）と、第１搬送ローラ３１５によるタグラベル用テープ３１１の搬送経路において貼り合わせローラ３０３より搬送方向上流側（図３中左側）に設けられ、タグラベル用テープ３１１を切断する第１カッタ３１８（第１切断手段）と、第２搬送ローラ３２５による補助シール用テープ３２１の搬送経路において貼り合わせローラ３０３より搬送方向上流側（図３中左側）に設けられ、補助シール用テープ３２１を切断する第２カッタ３２８（第２切断手段）とを有している。
【００４４】
またシール付きタグラベル作成装置３００は、タグラベル用テープ３１１に備えられる無線タグ回路素子Ｔｏとの間で無線通信を行うための装置アンテナ３０１（通信手段）及び高周波回路３０２と、操作端末１００との間でネットサークＮＷを介して行われるネートワーク通信の制御を行うネットワーク通信制御部３０４と、第２搬送ローラ３２５による補助シール用テープ３２１の搬送経路において貼り合わせローラ３０３より搬送方向上流側（図３中左側）に設けられ、補助シール用テープ３２１の貼り合わせ側（図３中下側）の面に貼り合わせ用の粘着剤を（例えば噴出により）塗布する粘着剤塗布装置３０５（粘着剤塗布手段）と、以上の第１搬送ローラ３１５、第１印字ヘッド３１７、第２搬送ローラ３２５、第２印字ヘッド３２７、高周波回路３０２、第１カッタ３１８、第２カッタ３２８、及び粘着剤塗布装置３０５を連携して制御することにより、第１印字ヘッド３１７によりタグラベル用テープ３１１に所望の印字がなされ、装置アンテナ３０１により無線タグ回路素子Ｔｏに情報送受信が行われた無線タグラベルＴと、無線タグラベルＴに対応して第２印字ヘッド３２７により補助シール用テープ３２１に補足情報の印字がなされた補助シールＳとを、再剥離可能に貼り合わされた状態で生成する制御回路３０６（連携制御手段）とを有する。
【００４５】
上記粘着剤塗布装置３０５によって塗布される粘着剤は弱粘着剤であり、貼り合わされた状態で生成されたシール付きタグラベルＳＴにおいて、無線タグラベルＴから補助シールＳを損傷等生じることなく剥離することが可能となっている。
【００４６】
図４は、上記高周波回路３０２の詳細構成を表す機能ブロック図である。
【００４７】
この図４において、高周波回路３０２は、装置アンテナ３０１を介しタグラベル用テープ３１１の無線タグ回路素子ＴｏのＩＣ回路部１５０の情報へアクセスするものであり、また制御回路３０６は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４８】
高周波回路３０２は、装置アンテナ３０１を介しタグラベル用テープ３１１の無線タグ回路素子Ｔｏに対して信号を送信する送信部１４２と、装置アンテナ３０１により受信された無線タグ回路素子Ｔｏからの応答波を入力する受信部１４３と、送受分離器１４４とから構成される。
【００４９】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１３３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３０６から供給される信号に基づいて上記発生させられた搬送波を変調（この例では制御回路３０６からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路３０６からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記送信アンプ１４７の出力は、送受分離器１４４を介し装置アンテナ３０１に伝達されて無線タグ回路素子ＴｏのＩＣ回路部１５０に供給される。なお、質問波は上記のように変調した信号（変調波）に限られず、単なる搬送波のみの場合もある。
【００５０】
受信部１４３は、装置アンテナ３０１で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記装置アンテナ３０１で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路３０６に入力されて処理される。
【００５１】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路３０６に入力される。これにより、制御回路３０６では、無線タグ回路素子Ｔｏとの通信時における当該無線タグ回路素子Ｔｏからの信号の受信強度を検出することが可能となっている。
【００５２】
図５は、タグラベル用テープ３１１（無線タグラベルＴ）に備えられる無線タグ回路素子Ｔｏの機能的構成の一例を表す機能ブロック図である。
【００５３】
この図５において、無線タグ回路素子Ｔｏは、上述したようにシール付きタグラベル作成装置３００の装置アンテナ３０１と非接触で信号の送受信を行う上記タグアンテナ１５１と、このタグアンテナ１５１に接続された上記ＩＣ回路部１５０とを有している。
【００５４】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５５】
変復調部１５６は、タグアンテナ１５１により受信されたシール付きタグラベル作成装置３００の装置アンテナ３０１からの質問波の復調を行い、また、上記制御部１５７からの返信信号を変調し、タグアンテナ１５１より応答波（タグＩＤを含む信号）として送信する。
【００５６】
クロック抽出部１５４は受信した信号からクロック成分を抽出し、当該クロック成分の周波数に対応したクロックを制御部１５７に供給する。
【００５７】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５８】
以上のような構成であるタグラベル作成システム１においては、次のような手順でシール付きタグラベルＳＴが作成される。すなわち、操作者は、操作端末１００において無線タグラベルＴの貼り付け対象である物品に対応するデータベース及び作成する無線タグラベルＴの印字デザインとなるテンプレートを選択し、データベースに登録された物品情報に基づき印字情報及びタグ書き込み情報の設定を行う。対応する補助シールＳを作成する場合には、同様に補助シールＳのテンプレートを選択し、データベースに登録された物品情報に基づき印字情報の設定を行う。そして、シール付きタグラベルＳＴの作成指令を行うと、シール付きタグラベル作成装置３００においてシール付きタグラベルＳＴが作成されると共に、作成された無線タグラベルＴの無線タグ回路素子ＴｏのタグＩＤがシール付きタグラベル作成装置３００より操作端末１００に送信され、当該操作端末１００を介してサーバ２００の記憶部２０１のデータベースに対応する物品情報と関連付けて登録される。
【００５９】
図６は、記憶部２０１に登録されたデータベースの一例を表す図である。
【００６０】
図６に示すデータベースは、無線タグラベルＴの貼り付け対象が例えば書籍である場合の一例を示している。この書籍データベースでは、各書籍ごとに、タグＩＤと物品情報とが関連付けられて登録されるようになっている。この例では、物品情報は、「物品名」、「保管場所」、当該物品を管理する「部門」、無線タグラベルＴをその物品に貼り付ける作業の「作業期限」、及び無線タグラベルＴを物品に貼り付ける際の「注意事項」から構成されている。なお、物品情報として上記とは別の項目を含めてもよい。また前述したように、書籍データベースにおいては、シール付きタグラベルＳＴが作成されるまでは各物品のタグＩＤ欄は空白となっており、シール付きタグラベルＳＴが作成されて初めてタグＩＤが対応する物品情報と関連付けて登録される。すなわちこの例では、物品名が「ＢＯＯＫ−１００」、「ＢＯＯＫ−１０２」である書籍についてはシール付きタグラベルＳＴの作成が既になされており、物品名が「ＢＯＯＫ−１０１」、「ＢＯＯＫ−１０３」である書籍については未だシール付きタグラベルＳＴの作成がなされていないことになる。
【００６１】
図７は、シール付きタグラベルＳＴの作成時に操作端末１００の表示部１０１（表示手段）に表示されるラベル作成画面１０の一例を表す図である。なお、この図７は、上記図６に示す書籍データベースにおける２段目の書籍（物品名「ＢＯＯＫ−１０１」）に対応するシール付きタグラベルＳＴを作成する場合を示している。
【００６２】
図７に示すように、ラベル作成画面１０は、シール付きタグラベルＳＴのうちの無線タグラベルＴに関する設定入力を行うためのラベル作成部２０と、補助シールＳに関する設定入力を行うためのシール作成部３０とを有している。ラベル作成部２０は、貼り付け対象である物品に対応するデータベースを選択するためのデータベース選択部２１、作成する無線タグラベルＴの印字デザインであるテンプレートを選択するためのタグラベル用テンプレート選択部２２、選択されたテンプレート中の第１オブジェクト領域２４に対応するテキスト情報を設定するための第１印字領域設定部２５、テンプレート中の第２オブジェクト領域２６に対応するテキスト情報を設定するための第２印字領域設定部２７、無線タグ回路素子ＴｏのＩＣ回路部１５０に書き込む情報を設定するための無線タグ情報設定部２８、以上の設定に基づいて作成される無線タグラベルＴの外観イメージを表示するプレビュー部２３、補助シールＳの作成を行うか否かを設定する補助シール有無設定部２９、及びシール付きタグラベル作成装置３００に対し、シール付きタグラベルＳＴ（補助シールＳの作成を行わない場合には無線タグラベルＴ）の作成指令を行うための印刷ボタン４０を有している。
【００６３】
上記第１印字領域設定部２５、第２印字領域設定部２７、及び無線タグ情報設定部２８では、いずれも図８に示すプルダウンメニュー５０の中から所望の項目を選択することにより、各情報がそれぞれ設定される。この例では、プルダウンメニューの項目は前述の図６に示す物品情報の項目に対応しており、第１印字領域設定部２５では「部門」が選択されているため、物品名「ＢＯＯＫ−１０１」に対応する書籍の部門情報である「営業部」（図６参照）が第１オブジェクト領域２４に入力されてプレビュー部２３に表示されている。また、第２印字領域設定部２７では「物品名」が選択されているため、対応する物品名である「ＢＯＯＫ−１０１」（図６参照）が第２オブジェクト領域２６に入力されてプレビュー部２３に表示されている。また、無線タグ情報設定部２８では「物品名」が選択されているため、対応する物品名である「ＢＯＯＫ−１０１」が無線タグ回路素子ＴｏのＩＣ回路部１５０に書き込まれる。なお、プルダウンメニュー５０中の「直接入力」を選択すると、操作者がテキスト情報を直接入力して各情報を設定することが可能となっている。
【００６４】
なお上記において、第１印字領域設定部２５及び第２印字領域設定部２７におけるプルダウンメニュー５０中の項目が、特許請求の範囲に記載のラベル印刷項目に相当し、無線タグ情報設定部２８におけるプルダウンメニュー５０中の項目が、書き込み項目に相当する。
【００６５】
シール作成部３０は、補助シール有無設定部２９のチェックボックスにチェックがされた場合に限り表示され、チェックボックスにチェックがされなかった場合には表示されないようになっている。このシール作成部３０は、作成する補助シールＳの印字デザインであるテンプレートを選択するための補助シール用テンプレート選択部３１、選択されたテンプレート中の第１オブジェクト領域３３に対応するテキスト情報を設定するための第１印字領域設定部３４、テンプレート中の第２オブジェクト領域３５に対応するテキスト情報を設定するための第２印字領域設定部３６、テンプレート中の第３オブジェクト領域３７に対応するテキスト情報を設定するための第３印字領域設定部３８、以上の設定に基づいて作成される補助シールＳの外観イメージを表示するプレビュー部３２を有している。
【００６６】
なお上記において、第１印字領域設定部３４、第２印字領域設定部３６、及び第３印字領域設定部３８におけるプルダウンメニュー５０中の項目が、特許請求の範囲に記載のシール印刷項目に相当する。
【００６７】
第１印字領域設定部３４、第２印字領域設定部３６、及び第３印字領域設定部３８では、上述と同様にいずれも図８に示すプルダウンメニュー５０の中から所望の項目を選択することにより、各情報がそれぞれ設定される。この例では、第１印字領域設定部３４では「保管場所」が選択されているため、物品名「ＢＯＯＫ−１０１」に対応する書籍の保管場所情報である「書庫Ａ」（図６参照）が第１オブジェクト領域３３に入力されてプレビュー部３２に表示されている。また、第２印字領域設定部３６では「作業期間」が選択されているため、対応する作業期間情報である「２００８／０８／０８」（図６参照）が第２オブジェクト領域３５に入力されてプレビュー部３２に表示されている。また、第３印字領域設定部３８では「注意事項」が選択されているため、対応する注意事項情報である「金属貼付け禁止」が第３オブジェクト領域３７に入力されてプレビュー部３２に表示されている。なお、上述と同様にプルダウンメニュー５０中の「直接入力」を選択すると、テキスト情報を直接入力して各項目を設定することが可能となっている。
【００６８】
なお、上記図７において、無線タグ情報設定部２８で設定された物品名「ＢＯＯＫ−１０１」が、特許請求の範囲に記載の情報送受信内容に相当し、第１印字領域設定部３４、第２印字領域設定部３６、及び第３印字領域設定部３８で設定された保管場所「書庫Ａ」、作業期限「２００８／０８／０８」、及び注意事項「金属貼付け禁止」が補足情報に相当する。
【００６９】
図９（ａ）は、以上のようにラベル作成画面１０において設定されることにより、シール付きタグラベル作成装置３００で作成されたシール付きタグラベルＳＴの外観の一例を表す平面図であり、図９（ｂ）はその側面図、図９（ｃ）は無線タグラベルＴを貼り付け対象に貼り付ける際に、無線タグラベルＴから補助シールＳを剥離させる様子を表す平面図である。なお、図９（ｂ）では貼り合わせ構成を明確にするために、無線タグラベルＴ及び補助シールＳの厚みを誇張して図示している。また、この図９に示す無線タグラベルＴ及び補助シールＳの印字内容は、上述の図７にそれぞれ対応したものである。
【００７０】
これら図９（ａ）乃至図９（ｃ）に示すように、シール付きタグラベルＳＴは、無線タグ回路素子Ｔｏ（この図９では図示省略）を有する無線タグラベルＴと、この無線タグラベルＴに対応して作成される補助シールＳとが、再剥離可能に貼り合わされて構成されている。すなわち、シール付きタグラベル作成装置３００において、無線タグラベルＴと対応する補助シールＳとが同時に作成されると共に、補助シールＳの貼り合わせ側の面の一部領域に粘着剤塗布装置３０５によって粘着剤が塗布されることにより結合粘着部６０が形成され、この結合粘着部６０により無線タグラベルＴと補助シールＳとが互いの一方側端部（図９中右端部）を貼り合わされた状態で、シール付きタグラベルＳＴとして生成される。
【００７１】
またシール付きタグラベルＳＴは、補助シールＳのテープ長手方向の長さＬｓが、無線タグラベルＴのテープ長手方向長さＬｔよりもΔＬだけ長くなるように構成されている。このΔＬは、補助シール用テープ３２１の搬送経路における第２カッタ３２８から貼り合わせローラ３０３までの距離と、タグラベル用テープ３１１の搬送経路における第１カッタ３１８から貼り合わせローラ３０３までの距離との差に相当する（図３参照）。すなわち、詳細は後述するが、シール付きタグラベルＳＴの作成の際に、補助シール用テープ３２１及びタグラベル用テープ３１１は第２カッタ３２８及び第１カッタ３１８によってそれぞれ同時に切断されるため、生成された補助シールＳと無線タグラベルＴのテープ長手方向の長さに上記ΔＬだけの差が形成されるようになっている。
【００７２】
そして、無線タグラベルＴの使用者は、補助シールＳに印刷された補足情報（この例では「書庫Ａ」、「２００８／０８／０８」、「金属貼付け禁止」）を手がかりに貼り付け対象の保管場所等を認識した後、図９（ｃ）に示すように無線タグラベルＴから補助シールＳを剥離させて無線タグラベルＴのみを貼り付け対象に貼り付ける。
【００７３】
なお、ここでは補助シールＳの貼り合わせ側の面の一部の領域にのみ結合粘着部６０が形成された場合を例示したが、これに限られず、補助シールＳの貼り合わせ側の面の無線タグラベルＴと当接する全領域について結合粘着部６０を形成してもよい。また、例えば一方側端部と他方側端部に形成する等、複数箇所に結合粘着部６０を形成してもよい。
【００７４】
図１０は、シール付きタグラベルＳＴの作成時に、操作端末１００の制御回路１０４によって実行される制御内容を表すフローチャートである。このフローチャートは、前述したように、制御回路１０４のＣＰＵ（図示せず）がＲＯＭ（図示せず）に予め記憶されたラベル作成処理プログラムに従って信号処理を行うことにより実行されるものであり、当該ラベル作成処理プログラムに対応するアプリケーションが起動された際に開始される（ＳＴＡＲＴ位置）。
【００７５】
ステップＳ３では、制御回路１０４は、表示部１０１に表示信号を出力し、前述したラベル作成画面１０を表示させる。
【００７６】
ステップＳ５では、制御回路１０４は、ラベル作成画面１０のデータベース選択部２１での操作者による選択入力に基づき、貼り付け対象である物品に対応するデータベースを選択する。
【００７７】
ステップＳ１０では、制御回路１０４は、ネットワークＮＷを介してサーバ２００の記憶部２０１に格納された、上記ステップＳ５で選択したデータベースにアクセスし、タグＩＤが登録されていない（言い換えれば未だシール付きタグラベルＳＴの作成がなされていない）物品のレコードが存在するか否かを判定する。タグＩＤが登録されていない物品のレコードが存在しない場合には、判定が満たされずに本フローを終了する。一方、タグＩＤが登録されていない物品のレコードが存在する場合には、判定が満たされてステップＳ１５に移る。
【００７８】
ステップＳ１５では、制御回路１０４は、上記タグＩＤが登録されていない物品のレコードのうち、データベースにおける最上位位置（例えば登録日時が最も古いもの等）である物品のレコードを特定し、入力済みのデータを取得する。なお、タグＩＤが登録されていない物品のレコードが単数である場合には、当該レコードが特定される。
【００７９】
ステップＳ２０では、制御回路１０４は、ラベル作成画面１０のタグラベル用テンプレート選択部２２での操作者による選択入力に基づき、作成する無線タグラベルＴの印字デザインであるテンプレートを選択する。
【００８０】
ステップＳ２５では、制御回路１０４は、上記選択されたテンプレートと、ラベル作成画面１０の第１印字領域設定部２５及び第２印字領域設定部２７での操作者による設定入力に基づき、作成する無線タグラベルＴの印字情報を設定する。
【００８１】
ステップＳ３０では、制御回路１０４は、ラベル作成画面１０の無線タグ情報設定部２８での操作者による選択入力に基づき、作成する無線タグラベルＴの無線タグ回路素子ＴｏのＩＣ回路部１５０に書き込む情報を設定する。
【００８２】
ステップＳ３５では、制御回路１０４は、補助シールＳを作成するか否かを、ラベル作成画面１０の補助シール有無設定部２９での操作者による入力結果に基づき判定する。すなわち、補助シール有無設定部２９のチェックボックスにチェックがされた場合には、補助シールＳを作成するとみなし、判定が満たされてステップＳ４０に移る。
【００８３】
ステップＳ４０では、制御回路１０４は、制御回路１０４は、ラベル作成画面１０の補助シール用テンプレート選択部３１での操作者による選択入力に基づき、作成する補助シールＳの印字デザインであるテンプレートを選択する。
【００８４】
ステップＳ４５では、制御回路１０４は上記選択されたテンプレートと、ラベル作成画面１０の第１印字領域設定部３４、第２印字領域設定部３６、及び第３印字領域設定部３８での操作者による設定入力に基づき、作成する補助シールＳの印字情報を設定する。
【００８５】
ステップＳ５０では、制御回路１０４は、シール付きタグラベルＳＴの作成を行うか否かを、ラベル作成画面１０の印刷ボタン４０の操作結果に基づき判定する。すなわち、印刷ボタン４０が操作されるまで本ステップを繰り返し、印刷ボタン４０が操作されると判定が満たされてステップＳ５５に移る。
【００８６】
ステップＳ５５では、制御回路１０４は、シール付きタグラベルＳＴの作成指令信号をシール付きタグラベル作成装置３００に対しネットワークＮＷを介して出力する。なお、この作成指令信号には、上記ステップＳ２５，Ｓ３０，Ｓ４５で設定した無線タグラベルＴの印字情報、無線タグ回路素子Ｔｏへのタグ書き込み情報、及び補助シールＳの印字情報が含まれる。
【００８７】
ステップＳ６０では、制御回路１０４は、シール付きタグラベルＳＴ（すなわち無線タグラベルＴと補助シールＳ）の作成が完了したことを表す作成完了信号がシール付きタグラベル作成装置３００よりネットワークＮＷを介して受信されたか否かを判定する。作成完了信号を受信するまで本ステップを繰り返し、受信したら判定が満たされて後述のステップＳ８０に移る。なおこのとき、作成完了信号と共に作成された無線タグラベルＴに対応するタグＩＤについても受信する。
【００８８】
一方、先のステップＳ３５において、補助シール有無設定部２９のチェックボックスにチェックがされていない場合には、補助シールＳを作成しないとみなし、判定が満たされずにステップＳ６５に移る。
【００８９】
ステップＳ６５では、制御回路１０４は、無線タグラベルＴの作成を行うか否かを、ラベル作成画面１０の印刷ボタン４０の操作結果に基づき判定する。すなわち、印刷ボタン４０が操作されるまで本ステップを繰り返し、印刷ボタン４０が操作されると判定が満たされてステップＳ７０に移る。
【００９０】
ステップＳ７０では、制御回路１０４は、無線タグラベルＴの作成指令信号をシール付きタグラベル作成装置３００に対しネットワークＮＷを介して出力する。なお、この作成指令信号には、上記ステップＳ２５，Ｓ３０で設定した無線タグラベルＴの印字情報及び無線タグ回路素子Ｔｏへのタグ書き込み情報が含まれる。
【００９１】
ステップＳ７５では、制御回路１０４は、無線タグラベルＴの作成が完了したことを表す作成完了信号がシール付きタグラベル作成装置３００よりネットワークＮＷを介して受信されたか否かを判定する。作成完了信号を受信するまで本ステップを繰り返し、受信したら判定が満たされてステップＳ８０に移る。なおこのとき、作成完了信号と共に作成された無線タグラベルＴに対応するタグＩＤについても受信する。
【００９２】
ステップＳ８０では、制御回路１０４は、ネットワークＮＷを介してサーバ２００の記憶部２０１に格納された上記選択したデータベースにアクセスし、上記受信したタグＩＤを上記ステップＳ１５で特定した物品の物品情報に関連付けて登録する。これにより、作成されたシール付きタグラベルＳＴ（無線タグラベルＴ）に対応する物品のタグＩＤ欄にタグＩＤが登録される。以上により、本フローを終了する。
【００９３】
上記において、ステップＳ３、ステップＳ２５、及びステップＳ３０は、特許請求の範囲に記載の第１手順に相当し、ステップＳ３及びステップＳ４５は、第２手順に相当し、ステップＳ５５は、第３手順に相当する。
【００９４】
また、上記ラベル作成処理プログラムに従って上述した制御内容を実行する制御回路１０４は、特許請求の範囲に記載の、シール付きタグラベル作成装置において、無線タグラベルと補助シールとが再剥離可能に貼り合わされた状態で生成されるように、通信手段、第１印字手段、第２印字手段を制御するための処理制御手段を構成する。
【００９５】
図１１は、シール付きタグラベルＳＴの作成時に、シール付きタグラベル作成装置３００の制御回路３０６によって実行される制御内容を表すフローチャートである。このフローチャートは、操作端末１００よりラベル作成指令信号を受信した際に開始される（ＳＴＡＲＴ位置）。
【００９６】
ステップＳ１１０では、制御回路３０６は、補助シールＳを作成するか否か（言い換えればシール付きタグラベルＳＴを作成するか無線タグラベルＴのみを作成するか）を、操作端末１００より受信したラベル作成指令信号に基づき判定する。シール付きタグラベルＳＴに対応する作成指令信号である場合には（図１０のステップＳ５５参照）、判定が満たされてステップＳ２００に移り、シール付きタグラベル作成処理を実行する。一方、無線タグラベルＴに対応する作成指令信号である場合には（図１０のステップＳ７０参照）、判定が満たされずにステップＳ３００に移り、タグラベル作成処理を実行する。以上により、本フローを終了する。
【００９７】
図１２は、上記ステップＳ２００のシール付きタグラベル作成処理の詳細内容を表すフローチャートである。
【００９８】
ステップＳ２０５では、制御回路３０６は、操作端末１００より受信した作成指令信号に基づき、無線タグラベルＴ（タグラベル用テープ３１１）の印字情報、無線タグ回路素子Ｔｏへのタグ書き込み情報、及び補助シールＳ（補助シール用テープ３２１）の印字情報を取得する（図１０のステップＳ５５参照）。
【００９９】
ステップＳ２１０では、制御回路３０６は、粘着剤塗布装置３０５に制御信号を出力し、補助シール用テープ３２１の貼り合わせ側の面に対する粘着剤の噴出を開始する。
【０１００】
ステップＳ２１５では、制御回路３０６は、第２印字ヘッド３２７及び第２搬送ローラ３２５に制御信号を出力し、補助シール用テープ３２１への上記印字情報に基づく印字及びテープ搬送を開始する。
【０１０１】
ステップＳ２２０では、制御回路３０６は、補助シール用テープ３２１を所定量（前述したΔＬに相当する距離）搬送したか否かを公知の方法により判定する。公知の方法としては、例えば第２搬送ローラ３２５を駆動する搬送用モータ（図示せず）をパルスモータで構成し、当該搬送用モータを駆動する搬送用モータ駆動回路（図示せず）の出力するパルス数のカウント値に基づき、所定量搬送が行われたかどうかを判定すればよい。補助シール用テープ３２１が所定量搬送されるまで本ステップを繰り返し、所定量搬送されたら判定が満たされてステップＳ２２５に移る。
【０１０２】
ステップＳ２２５では、制御回路３０６は、第１印字ヘッド３１７及び第１搬送ローラ３１５に制御信号を出力し、タグラベル用テープ３１１への上記印字情報に基づく印字及びテープ搬送を開始する。これにより、第１搬送ローラ３１５によるタグラベル用テープ３１１の搬送経路と第２搬送ローラ３２５による補助シール用テープ３２１の搬送経路との合流点では、貼り合わせローラ３０３によってタグラベル用テープ３１１と補助シール用テープ３２１とが貼り合わせられつつ、両テープの搬送が行われる。
【０１０３】
ステップＳ２３０では、制御回路３０６は、高周波回路３０２に制御信号を出力し、装置アンテナ３０１の通信範囲内に存在する無線タグ回路素子Ｔｏに対するタグＩＤを指定しないタグ読み取り信号の送信を行う。
【０１０４】
ステップＳ２３５では、制御回路３０６は、上記タグ読み取り信号に対応して無線タグ回路素子Ｔｏから返信されたリプライ信号を、装置アンテナ３０１を介し受信する。そして、受信したリプライ信号に基づき、当該無線タグ回路素子ＴｏのタグＩＤ（ここではＵＩＤ。予め無線タグ回路素子Ｔｏに書き換え不能に記憶されている）が正常に読み取れたか否かを判定する。タグＩＤを正常に読み取れなかった場合には、判定が満たされずに上記ステップＳ２３０に戻り、再度タグ読み取り信号の送信を行う。一方、タグＩＤ正常に読み取れた場合には、判定が満たされてステップＳ２４０に移る。
【０１０５】
ステップＳ２４０では、制御回路３０６は、第２印字ヘッド３２７及び第２搬送ローラ３２５に制御信号を出力し、補助シール用テープ３２１への印字及びテープ搬送を停止するとともに、第１印字ヘッド３１７及び第１搬送ローラ３１５に制御信号を出力し、タグラベル用テープ３１１への印字及びテープ搬送を停止する。
【０１０６】
ステップＳ２４５では、制御回路３０６は、粘着剤塗布装置３０５に制御信号を出力し、補助シール用テープ３２１の貼り合わせ側の面に対する粘着剤の噴出を停止する。これにより、前述の図９に示すように、補助シールＳの貼り合わせ側の面の一部領域に対し結合粘着部６０が形成される。
【０１０７】
ステップＳ２５０では、制御回路３０６は、高周波回路３０２に制御信号を出力し、装置アンテナ３０１の通信範囲内に存在する書き込み対象である無線タグ回路素子Ｔｏに対し、上記ステップＳ２３５で読み取ったタグＩＤを指定したタグ書き込み信号の送信を行い、上記タグ書き込み情報を無線タグ回路素子ＴｏのＩＣ回路部１５０に書き込む。
【０１０８】
ステップＳ２５５では、制御回路３０６は、第２印字ヘッド３２７及び第２搬送ローラ３２５に制御信号を出力し、補助シール用テープ３２１への印字及びテープ搬送を再開するとともに、第１印字ヘッド３１７及び第１搬送ローラ３１５に制御信号を出力し、タグラベル用テープ３１１への印字及びテープ搬送を再開する。
【０１０９】
ステップＳ２６０では、制御回路３０６は、補助シール用テープ３２１への印字及びタグラベル用テープ３１１への印字が両方とも終了したか否かを判定する。この判定は、例えば補助シール用テープ３２１及びタグラベル用テープ３１１に対する印字情報に基づきそれぞれの印刷終了位置を算出しておき、補助シール用テープ３２１及びタグラベル用テープ３１１がそれぞれ当該印刷終了位置まで搬送されたか否かを前述と同様の公知の方法で検出すればよい。両方の印字が終了するまで本ステップを繰り返し、印字が終了した場合には判定が満たされてステップＳ２６５に移る。
【０１１０】
ステップＳ２６５では、制御回路３０６は、補助シール用テープ３２１及びタグラベル用テープ３１１が切断位置まで搬送されたか否かを前述と同様の公知の方法で判定する。なおこの切断位置は、タグラベル用テープ３１１内における無線タグ回路素子Ｔｏの配置間隔に応じ、補助シール用テープ３２１及びタグラベル用テープ３１１に対して予め設定されている。補助シール用テープ３２１及びタグラベル用テープ３１１が切断位置まで搬送されるまで本ステップを繰り返し、切断位置まで搬送されたら判定が満たされてステップＳ２７０に移る。
【０１１１】
ステップＳ２７０では、制御回路３０６は、第２搬送ローラ３２５に制御信号を出力して補助シール用テープ３２１のテープ搬送を停止するとともに、第１搬送ローラ３１５に制御信号を出力してタグラベル用テープ３１１のテープ搬送を停止する。
【０１１２】
ステップＳ２７５では、制御回路３０６は、第２カッタ３２８及び第１カッタ３１８に制御信号を出力し、補助シール用テープ３２１及びタグラベル用テープ３１１を切断する。このように補助シール用テープ３２１及びタグラベル用テープ３１１を同時に切断することにより、前述したように、補助シール用テープ３２１の搬送経路における第２カッタ３２８から貼り合わせローラ３０３までの距離と、タグラベル用テープ３１１の搬送経路における第１カッタ３１８から貼り合わせローラ３０３までの距離との差に相当するΔＬの長さだけ、生成された補助シールＳと無線タグラベルＴのテープ長手方向の長さに差が生じるようになっている。
【０１１３】
ステップＳ２８０では、制御回路３０６は、補助シール用テープ３２１及びタグラベル用テープ３１１を切断し貼り合わせローラ３０３で貼り合わせることにより生成されたシール付きタグラベルＳＴを、装置外に排出する。
【０１１４】
ステップＳ２８５では、制御回路３０６は、シール付きタグラベルＳＴ（すなわち無線タグラベルＴと補助シールＳ）の作成を完了したことを表す作成完了信号を、上記ステップＳ２３５で読み取ったタグＩＤと共に、ネットワークＮＷを介して操作端末１００に対し送信する。以上により、本ルーチンを終了する。
【０１１５】
上記において、ステップＳ２０５〜ステップＳ２８０は、特許請求の範囲に記載の連携制御手段を構成し、そのうちのステップＳ２０５は、補足情報と情報送受信内容とを関連付けて記憶するデータベースより（操作端末１００を介して）補足情報を取得する補足情報取得手段を構成する。
【０１１６】
図１３は、上記ステップＳ３００のタグラベル作成処理の詳細内容を表すフローチャートである。
【０１１７】
ステップＳ３０５では、制御回路３０６は、操作端末１００より受信した作成指令信号に基づき、無線タグラベルＴ（タグラベル用テープ３１１）の印字情報及び無線タグ回路素子Ｔｏへのタグ書き込み情報を取得する（図１０のステップＳ７０参照）。
【０１１８】
ステップＳ３１０では、制御回路３０６は、第１印字ヘッド３１７及び第１搬送ローラ３１５に制御信号を出力し、タグラベル用テープ３１１への上記印字情報に基づく印字及びテープ搬送を開始する。なおここでは、補助シール用テープ３２１への印字及びテープ搬送については行わない。したがって、貼り合わせローラ３０３によるタグラベル用テープ３１１と補助シール用テープ３２１との貼り合わせも行われないようになっている。
【０１１９】
ステップＳ３１５では、制御回路３０６は、高周波回路３０２に制御信号を出力し、装置アンテナ３０１の通信範囲内に存在する無線タグ回路素子Ｔｏに対するタグＩＤを指定しないタグ読み取り信号の送信を行う。
【０１２０】
ステップＳ３２０では、制御回路３０６は、上記タグ読み取り信号に対応して無線タグ回路素子Ｔｏから返信されたリプライ信号を、装置アンテナ３０１を介し受信する。そして、受信したリプライ信号に基づき、当該無線タグ回路素子ＴｏのタグＩＤが正常に読み取れたか否かを判定する。タグＩＤを正常に読み取れなかった場合には、判定が満たされずに上記ステップＳ３１５に戻り、再度タグ読み取り信号の送信を行う。一方、タグＩＤ正常に読み取れた場合には、判定が満たされてステップＳ３２５に移る。
【０１２１】
ステップＳ３２５では、制御回路３０６は、第１印字ヘッド３１７及び第１搬送ローラ３１５に制御信号を出力し、タグラベル用テープ３１１への印字及びテープ搬送を停止する。
【０１２２】
ステップＳ３３０では、制御回路３０６は、高周波回路３０２に制御信号を出力し、装置アンテナ３０１の通信範囲内に存在する書き込み対象である無線タグ回路素子Ｔｏに対し、上記ステップＳ３２０で読み取ったタグＩＤを指定したタグ書き込み信号の送信を行い、上記タグ書き込み情報を無線タグ回路素子ＴｏのＩＣ回路部１５０に書き込む。
【０１２３】
ステップＳ３３５では、制御回路３０６は、第１印字ヘッド３１７及び第１搬送ローラ３１５に制御信号を出力し、タグラベル用テープ３１１への印字及びテープ搬送を再開する。
【０１２４】
ステップＳ３４０では、制御回路３０６は、タグラベル用テープ３１１への印字が両方とも終了したか否かを判定する。印字が終了するまで本ステップを繰り返し、印字が終了した場合には判定が満たされてステップＳ３４５に移る。
【０１２５】
ステップＳ３４５では、制御回路３０６は、タグラベル用テープ３１１が切断位置まで搬送されたか否かを前述と同様の公知の方法で判定する。タグラベル用テープ３１１が切断位置まで搬送されるまで本ステップを繰り返し、切断位置まで搬送されたら判定が満たされてステップＳ３５０に移る。
【０１２６】
ステップＳ３５０では、制御回路３０６は、第１搬送ローラ３１５に制御信号を出力してタグラベル用テープ３１１のテープ搬送を停止する。
【０１２７】
ステップＳ３５５では、制御回路３０６は、第１カッタ３１８に制御信号を出力し、タグラベル用テープ３１１を切断する。
【０１２８】
ステップＳ３６０では、制御回路３０６は、上記タグラベル用テープ３１１の切断により生成された無線タグラベルＴを、装置外に排出する。
【０１２９】
ステップＳ３６５では、制御回路３０６は、無線タグラベルＴの作成を完了したことを表す作成完了信号を、上記ステップＳ２３５で読み取ったタグＩＤと共に、ネットワークＮＷを介して操作端末１００に対し送信する。以上により、本ルーチンを終了する。
【０１３０】
以上説明した実施形態においては、無線タグラベルＴの作成時には、第１カートリッジホルダ３１４にタグカートリッジ３１３が装着されるとともに、第２カートリッジホルダ３２４に補助カートリッジ３２３が装着される。そして、タグカートリッジ３１３から供給されたタグラベル用テープ３１１は、第１搬送ローラ３１５で搬送され、第１印字ヘッド３１７によって所望の印字が行われる。また、タグラベル用テープ３１１に備えられた無線タグ回路素子Ｔｏには、装置アンテナ３０１によって無線通信が行われ、所望の情報送受信が行われ、これによって印字付きの無線タグラベルＴが生成される。一方、補助カートリッジ３２３から供給された補助シール用テープ３２１は第２搬送ローラ３２５で搬送され、第２印字ヘッド３２７によって印字が行われ、補助シールＳが生成される。このときの印字としては、上記した装置アンテナ３０１による無線タグ回路素子Ｔｏとの情報送受信内容に対応した、補足情報の印字が行われる。このとき、制御回路３０６の制御によって、無線タグラベルＴと補助シールＳとが、再剥離可能に互いに貼り合わされた状態でシール付きタグラベルＳＴとして生成される。
【０１３１】
以上のようにして、本実施形態においては、無線タグラベルＴの作成時に、無線タグラベルＴのみを単独で作成するのではなく、無線タグ回路素子Ｔｏとの情報送受信内容（言い換えれば無線タグ回路素子Ｔｏの記憶内容）に対応する補足情報を印字した補助シールＳを、併せて作成する。そして、そのような補助シールＳを、対応する無線タグラベルＴと貼り合わせた状態で生成する。これにより、無線タグラベルＴに印字された情報だけでは貼り付け対象が不明の場合であっても、補助シールＳに印刷された補足情報を手がかりに使用者が貼り付け対象を認識した後、無線タグラベルＴから補助シールＳを剥離させて無線タグラベルＴのみを確実に貼り付け対象に貼り付けることができる。この結果、使用者が誤って無線タグラベルＴを別の物品に貼り付けるのを、確実に防止することができる。
【０１３２】
また、本実施形態では特に、補助シール用テープ３２１に印字する補足情報（保管場所、作業期限、注意事項等）とタグラベル用テープ３１１の無線タグ回路素子Ｔｏに対し書き込む無線タグ情報（物品名等）とを、サーバ２００の記憶部２０１のデータベースに関連付けて登録しておく。そして、第２印字ヘッド３２７は、当該データベースより操作端末１００を介して取得した補足情報を、補助シール用テープ３２１に対し印字する。これにより、補助シール用テープ３２１に対し無線タグ回路素子Ｔｏに対し書き込む無線タグ情報に確実に対応した補足情報の印字を行うことができる。その結果、互いに貼り合わす無線タグラベルＴと補助シールＳとを確実に対応付けることができる。
【０１３３】
また、本実施形態では特に、シール付きタグラベル作成装置３００は、タグカートリッジ３１３から供給されたタグラベル用テープ３１１の第１印字ヘッド３１７による印字面側に対し、補助カートリッジ３２３から供給された補助シール用テープ３２１を貼り合わせる貼り合わせローラ３０３を有する。これにより、第１搬送ローラ３１５によるタグカートリッジ３１３からのタグラベル用テープ３１１の搬送経路と第２搬送ローラ３２５による補助カートリッジ３２３からの補助シール用テープ３２１の搬送経路との合流点に貼り合わせローラ３０３を設けることで、搬送の流れに沿って円滑にタグラベル用テープ３１１と補助シール用テープ３２１との貼り合わせを行うことができる。また、貼り合わせローラ３０３でタグラベル用テープ３１１の印字面側に補助シール用テープ３２１を貼り合わせることにより、補助シールＳを対応する無線タグラベルＴの印字面側（すなわち表面側）に貼り合わせた状態で生成することができる。これにより、無線タグラベルＴを使用する際に、使用者は確実に補助シールＳを視認することができる。
【０１３４】
また、本実施形態では特に、タグラベル用テープ３１１及び補助シール用テープ３２１を第１カッタ３１８及び第２カッタ３２８で所定の長さに切断することで、無線タグラベルＴ及び補助シールＳを作成することができる。このとき、タグラベル用テープ３１１側の搬送経路の第１カッタ３１８と、補助シール用テープ３２１側の搬送経路の第２カッタ３２８とを、別々に設置することにより、無線タグラベルＴと補助シールＳとで互いにテープ長手方向の長さを異ならせることができる。
【０１３５】
また、本実施形態では特に、補助シールＳのテープ長手方向の長さＬｓが、無線タグラベルＴのテープ長手方向長さＬｔよりもΔＬだけ長くなるように構成されている。このように補助シールＳの長さを無線タグラベルＴより長くすることにより、設置対象物への無線タグラベルＴの貼り付け時に補助シールＳを無線タグラベルＴから剥がす際に、補助シールＳを手でつまみやすくして容易に剥がせるようにすることができる。この結果、使用者の利便性を向上することができる。
【０１３６】
また、本実施形態では特に、第２搬送ローラ３２５による補助シール用テープ３２１の搬送経路において貼り合わせローラ３０３より搬送方向上流側に、補助シール用テープ３２１の貼り合わせ側の面に貼り合わせ用の粘着剤を塗布する粘着剤塗布装置３０５を設ける。これにより、補助カートリッジ３２３から供給されて搬送される補助シール用テープ３２１が、貼り合わせローラ３０３で貼り合わされる前に、当該貼り合わせの粘着力を与えるための粘着剤を塗布することができる。また貼り合わせ直前に粘着剤を塗布する構成とすることで、補助カートリッジ３２３内において補助テープロール３２２としてロール形状で収納されている状態では、補助シール用テープ３２１に粘着力が存在しないようにすることができる。したがって、補助カートリッジ３２３内での収納状態で粘着剤が備えられている場合に比べ、補助カートリッジ３２３から補助シール用テープ３２１を引き出すための搬送駆動力が小さくて済むという効果もある。さらに、粘着剤塗布装置３０５による粘着剤の塗布タイミングを適宜制御することで、補助シール用テープ３２１の貼り合わせ側の全面ではなく一部領域に対し粘着剤を塗布することができる。これにより、設置対象物への無線タグラベルＴの貼り付け時に補助シールＳを無線タグラベルＴから剥がす際に、補助シールＳの粘着剤が塗布されていない側を手でつまみやすくしてさらに容易に剥がせるようにすることができると共に、粘着剤の使用量を節減できる。
【０１３７】
また、以上説明した実施形態においては、予め、サーバ２００の記憶部２０１に格納されたデータベースに、当該無線タグラベルＴの設置対象となる物品の物品情報が登録されている。そして、無線タグラベルＴを作成するに際しては、ラベル作成処理プログラムに従って信号処理を実行する制御回路１０４の制御により、データベースへのアクセスに基づき、無線タグラベルＴへのラベル印刷項目と無線タグ回路素子Ｔｏへの書き込み項目、及び補助シールＳへのシール印刷項目とを含むラベル作成画面１０が表示部１０１に表示される。そして、操作者がそれら表示部１０１におけるラベル作成画面１０に従って各項目を選択すると、その選択入力結果に応じた印字データが、第１印字ヘッド３１７及び第２印字ヘッド３２７を有するシール付きタグラベル作成装置３００（の制御回路３０６）へ出力される。これにより、無線タグラベルＴ作成時に、無線タグ回路素子Ｔｏへのタグ書き込み情報に対応する補足情報を印字した補助シールＳを、対応する無線タグラベルＴと貼り合わせた状態で生成することができる。
【０１３８】
この結果、無線タグラベルＴに印字された情報だけでは貼り付け対象が不明の場合であっても、補助シールＳに印刷された補足情報を手がかりにすることで、使用者が誤って無線タグラベルＴを別の物品に貼り付けるのを、確実に防止することができる。
【０１３９】
なお、本発明は、上記実施形態に限られるものではなく、その趣旨及び技術的思想を逸脱しない範囲内で種々の変形が可能である。以下、そのような変形例を順を追って説明する。
【０１４０】
（１）単一のカッタで切断を行う場合
上記実施形態では、シール付きタグラベル作成装置３００が、タグラベル用テープ３１１を切断する第１カッタ３１８と、補助シール用テープ３２１を切断する第２カッタ３２８との２つのカッタを有する構成としたが、これに限られず、貼り合わせ後のタグラベル用テープ３１１及び補助シール用テープ３２１を単一のカッタで切断する構成としてもよい。
【０１４１】
図１４は、本変形例のシール付きタグラベル作成装置３００の機能構成を表す機能ブロック図である。この図１４において、前述の図３と同様の部分には同符号を付し説明を省略する。
【０１４２】
この図１４において、本変形例のシール付きタグラベル作成装置３００は、前述の第１カッタ３１８及び第２カッタ３２８の代わりに、第１搬送ローラ３１５によるタグラベル用テープ３１１の搬送経路と第２搬送ローラ３２５による補助シール用テープ３２１の搬送経路とが合流した、貼り合わせローラ３０３より搬送方向下流側に設けられ、貼り合わされたタグラベル用テープ３１１及び補助シール用テープ３２１を切断する第３カッタ３３８（第３切断手段）を有している。その他の構成については前述の実施形態と同様である。
【０１４３】
図１５（ａ）は、上記構成である本変形例のシール付きタグラベル作成装置３００で作成されたシール付きタグラベルＳＴの外観の一例を表す平面図であり、図１５（ｂ）はその側面図、図１５（ｃ）は無線タグラベルＴを貼り付け対象に貼り付ける際に、無線タグラベルＴから補助シールＳを剥離させる様子を表す平面図である。なお、前述の図９と同様に、この図１５に示す無線タグラベルＴ及び補助シールＳの印字内容は、前述の図７にそれぞれ対応したものである。
【０１４４】
これら図１５（ａ）乃至図１５（ｃ）に示すように、本変形例におけるシール付きタグラベルＳＴは、前述の実施形態と異なり、補助シールＳのテープ長手方向の長さＬｓが、無線タグラベルＴのテープ長手方向長さＬｔと等しくなるように構成されている。これは、上述したように、貼り合わされたタグラベル用テープ３１１及び補助シール用テープ３２１が単一の第３カッタ３３８により一緒に切断されるからである。一方で、無線タグラベルＴのラベル幅（言い換えればタグラベル用テープ３１１のテープ幅）Ｈｔが、補助シールＳのラベル幅（言い換えれば補助シール用テープ３２１のテープ幅）Ｈｓより大きくなるように構成されている。これは、第１カートリッジホルダ３１４に、第２カートリッジホルダ３２４に装着される補助カートリッジ３２３の補助シール用テープ３２１のテープ幅よりも大きなテープ幅である、タグラベル用テープ３１１を供給可能なタグカートリッジ３１３を装着することにより、実現される。
【０１４５】
図１６は、シール付きタグラベルＳＴの作成時に、本変形例のシール付きタグラベル作成装置３００の制御回路３０６によって実行されるステップＳ２００Ａのシール付きタグラベル作成処理の詳細内容を表すフローチャートである。この図１６において、前述の図１２と同様の手順には同符号を付し説明を省略する。
【０１４６】
ステップＳ２０５及びステップＳ２１０は前述の図１２と同様である。
【０１４７】
次のステップＳ２１９では、制御回路３０６は、第２印字ヘッド３２７及び第２搬送ローラ３２５に制御信号を出力し、補助シール用テープ３２１への印字及びテープ搬送を開始するとともに、第１印字ヘッド３１７及び第１搬送ローラ３１５に制御信号を出力し、タグラベル用テープ３１１への印字及びテープ搬送を開始する。
【０１４８】
その後のステップＳ２３０〜ステップＳ２７０は前述の図１２と同様である。
【０１４９】
次のステップＳ２７９では、制御回路３０６は、制御回路３０６は、第３カッタ３３８に制御信号を出力し、貼り合わせローラ３０３によって貼り合わされた補助シール用テープ３２１及びタグラベル用テープ３１１を切断する。これにより、補助シールＳのテープ長手方向の長さＬｓと、無線タグラベルＴのテープ長手方向長さＬｔとは等しくなる。
【０１５０】
その後のステップＳ２８０及びステップＳ２８５は前述の図１２と同様である。
【０１５１】
なお、上述のシール付きタグラベル作成処理以外の制御内容は、前述の実施形態における図１１及び図１３と同様であるので説明を省略する。
【０１５２】
以上説明した変形例によれば、タグラベル用テープ３１１及び補助シール用テープ３２１を第３カッタ３３８で所定の長さに切断することで、無線タグラベルＴ及び補助シールＳを作成することができる。このとき、それぞれ別の搬送経路から搬送されたタグラベル用テープ３１１と補助シール用テープ３２１とが貼り合わせローラ３０３で貼り合わせれた後に切断することにより、共通の１つのカッタとすることができるので、シール付きタグラベル作成装置３００の部品点数を削減し装置構造を簡素化することができる。
【０１５３】
また、本変形例では特に、第１カートリッジホルダ３１４に装着されるタグカートリッジ３１３のタグラベル用テープ３１１のテープ幅を、第２カートリッジホルダ３２４に装着される補助カートリッジ３２３の補助シール用テープ３２１のテープ幅よりも大きくする。これにより、作成される無線タグラベルＴの幅方向寸法Ｈｔを補助シールＳの幅方向寸法Ｈｓより広くすることができる。この結果、設置対象物への無線タグラベルＴの貼り付け時に、無線タグラベルＴを手でつまみやすくして補助シールＳから容易に剥がせるようにすることができる。したがって、使用者の利便性を向上することができる。
【０１５４】
（２）シール付きタグラベルＳＴの形態のバリエーション
以上説明した以外にも、第１カッタ３１８と第２カッタ３２８との切断タイミングや、第１カートリッジホルダ３１４に装着されるタグカートリッジ３１３と第２カートリッジホルダ３２４に装着される補助カートリッジ３２３とのテープ幅を調整することにより、シール付きタグラベルＳＴの形態のバリエーションが種々考えられる。以下、そのバリエーションについて説明する。
【０１５５】
例えば図１７（ａ）に示すように、補助シールＳの長手方向両端が無線タグラベルＴの両端よりそれぞれ突出するように、シール付きタグラベルＳＴを構成してもよい。また図１７（ｂ）に示すように、補助シールＳの長手方向一端側（この例では左端側）については無線タグラベルＴの端部より突出するが、補助シールＳの長手方向他端側（この例では右端側）については無線タグラベルＴの端部より引き込むように、シール付きタグラベルＳＴを構成してもよい。また図１７（ｃ）に示すように、上記図１７（ａ）とは反対に無線タグラベルＴの長手方向両端が補助シールＳの両端よりそれぞれ突出するように、シール付きタグラベルＳＴを構成してもよい。また図１７（ｄ）に示すように、前述した変形例（１）の図１５に示す構成とは反対に、補助シールＳの幅が無線タグラベルＴの幅よりも大きくなるように構成してもよい。
【０１５６】
さらに図１８（ａ）に示すように、長手方向寸法及び幅方向寸法の両方について、補助シールＳの方が無線タグラベルＴよりも大きくなるように構成してもよいし、その反対に、図１８（ｂ）に示すように、長手方向寸法及び幅方向寸法の両方について、無線タグラベルＴの方が補助シールＳよりも大きくなるように構成してもよい。また図１８（ｃ）に示すように、長手方向寸法については補助シールＳの方が無線タグラベルＴよりも大きいが、幅方向寸法については無線タグラベルＴの方が補助シールＳよりも大きくなるように構成してもよいし、その反対に、図１８（ｄ）に示すように、長手方向寸法については無線タグラベルＴの方が補助シールＳよりも大きいが、幅方向寸法については補助シールＳの方が無線タグラベルＴよりも大きくなるように構成してもよい。
【０１５７】
（３）その他
以上においては、無線タグラベルＴのラベル印刷項目及び書き込み項目と、補助シールＳのシール印刷項目とについて、操作者がラベル作成画面１０において手動にて選択入力するようにしたが、これに限られず、予め各項目を設定しておき、操作者が選択入力しなくとも自動的に設定されるようにしてもよい。
【０１５８】
また以上においては、シール付きタグラベル作成装置３００とは別の操作端末１００においてアプリケーションを起動させ、ラベル作成画面を表示して操作者が各種設定を行うようにしたが、これに限られず、シール付きタグラベル作成装置３００自体に表示部及び操作部を設けるとともにアプリケーションをインストールし、当該表示部にラベル作成画面を表示して、操作者が各種設定を行うようにしてもよい。
【０１５９】
また以上においては、タグラベル用テープ３１１のテープ搬送を所定位置で停止させて、無線タグ回路素子Ｔｏに対して無線タグ情報の書き込みを行うようにしたが、これに限られず、移動中のタグラベル用テープ３１１に対して無線タグ情報の書き込みを行うようにしてもよい。
【０１６０】
また、以上においては、タグラベル用テープ３１１に対し直接印字を行う方式（貼りあわせを行わないいわゆるノンラミネートタイプ）のタグカートリッジ３１３を用いる場合を説明したが、これに限られず、無線タグ回路素子Ｔｏを備えたタグラベル用テープ３１１とは別のカバーフィルムに印字を行ってこれらを貼り合わせる方式のタグカートリッジ（貼りあわせを行ういわゆるラミネートタイプ）を用いてもよい。さらに、タグラベル用テープ３１１及び補助シール用テープ３２１に対しインクリボン３１６，３２６を用いて印刷する場合を説明したが、これに限られず、例えばタグラベル用テープ３１１及び補助シール用テープ３２１を感熱テープとして熱により発色し印字形成してもよいし、インクを塗布することで印字形成してもよい。
【０１６１】
さらに、以上は、タグラベル用テープ３１１及び補助シール用テープ３２１がリール部材の周りに巻回されてロール３１２，３２２を構成し、カートリッジ３１３，３２３内にそのロールが配置されてタグラベル用テープ３１１及び補助シール用テープ３２１が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをカートリッジホルダ３１４，３２４に装着して、上記収納部から移送、搬送して印字及び情報書き込みを行いタグラベルＴ及び補助シールＳを作成するようにしてもよい。
【０１６２】
さらには上記ロール３１２，３２２を直接シール付きタグラベル作成装置３００に着脱可能に装着する構成や、長尺平紙状あるいは短冊状のテープやシートをシール付きタグラベル作成装置３００外より１枚ずつ所定のフィーダ機構によって移送し装置内へ供給する構成も考えられ、さらにはカートリッジ３１３，３２３のようなシール付きタグラベル作成装置３００本体側に着脱可能なものにも限られず、装置本体側に着脱不能のいわゆる据え付け型あるいは一体型としてロール３１２，３２２を設けることも考えられる。この場合も同様の効果を得る。
【０１６３】
なお、以上において、図２、図３、図４、図５等の各図中に示す矢印は信号の流れの一例を示すものであり、信号の流れ方向を限定するものではない。
【０１６４】
また、図１０、図１１、図１２、図１３等に示すフローチャートは本発明を上記フローに示す手順に限定するものではなく、発明の趣旨及び技術的思想を逸脱しない範囲内で手順の追加・削除又は順番の変更等をしてもよい。
【０１６５】
また、以上既に述べた以外にも、上記実施形態や各変形例による手法を適宜組み合わせて利用しても良い。
【０１６６】
その他、一々例示はしないが、本発明は、その趣旨を逸脱しない範囲内において、種々の変更が加えられて実施されるものである。
【符号の説明】
【０１６７】
１０１            表示部（表示手段）
１０４            制御回路（処理制御手段）
１５０            ＩＣ回路部
１５１            タグアンテナ
３００            シール付きタグラベル作成装置
３０１            装置アンテナ（通信手段）
３０３            貼り合わせローラ（貼り合わせ手段）
３０５            粘着剤塗布装置（粘着剤塗布手段）
３１１            タグラベル用テープ
３１３            タグカートリッジ
３１４            第１カートリッジホルダ
３１５            第１搬送ローラ（第１搬送手段）
３１７            第１印字ヘッド（第１印字手段）
３１８            第１カッタ（第１切断手段）
３２１            補助シール用テープ
３２３            補助カートリッジ
３２４            第２カートリッジホルダ
３２５            第２搬送ローラ（第２搬送手段）
３２７            第２印字ヘッド（第２印字手段）
３２８            第２カッタ（第２切断手段）
３３８            第３カッタ（第３切断手段）
Ｓ                補助シール
Ｔ                無線タグラベル
Ｔｏ              無線タグ回路素子
【図１】
2010191919.tif 000003
【図２】
2010191919.tif 000004
【図３】
2010191919.tif 000005
【図４】
2010191919.tif 000006
【図５】
2010191919.tif 000007
【図６】
2010191919.tif 000008
【図７】
2010191919.tif 000009
【図８】
2010191919.tif 000010
【図９】
2010191919.tif 000011
【図１０】
2010191919.tif 000012
【図１１】
2010191919.tif 000013
【図１２】
2010191919.tif 000014
【図１３】
2010191919.tif 000015
【図１４】
2010191919.tif 000016
【図１５】
2010191919.tif 000017
【図１６】
2010191919.tif 000018
【図１７】
2010191919.tif 000019
【図１８】
2010191919.tif 000020